(57)【要約】【課題】色つき眼鏡の使用者に対して、色相補正された画像を提供することができる画像処理装置及び画像処理方法を提供する。また、その画像処理装置を用いた画像形成装置を提供する。【解決手段】眼鏡の情報を取得する眼鏡情報取得部と、眼鏡情報取得部で取得された眼鏡情報を用い、裸眼用に調整された裸眼用画像データに対して色補正がなされた眼鏡用画像データを算出する眼鏡用画像データ算出部と備える。【選択図】図２
2019062328.tif 000002
【特許請求の範囲】
【請求項１】
眼鏡に関する眼鏡情報を取得する眼鏡情報取得部と、
前記眼鏡情報取得部で取得された前記眼鏡情報を用い、裸眼用に調整された裸眼用画像データに対して色補正がなされた眼鏡用画像データを算出する眼鏡用画像データ算出部と
を備える画像処理装置。
【請求項２】
前記眼鏡情報は、前記眼鏡に用いられるレンズの光学濃度及び波長に対する透過特性である
請求項１に記載の画像処理装置。
【請求項３】
前記裸眼用画像データに前記眼鏡情報を統合し、眼鏡情報付き裸眼用画像データを作成するデータ統合部を有する
請求項２に記載の画像処理装置。
【請求項４】
前記データ統合部では、前記眼鏡情報をコード化して裸眼用画像データに統合する
請求項３に記載の画像処理装置。
【請求項５】
前記眼鏡の光学濃度に応じて色補正の要否を判断する色補正要否判断部を有する
請求項１に記載の画像処理装置。
【請求項６】
前記眼鏡用画像データ算出部は、複数の眼鏡情報を用い、裸眼用に調整された裸眼用画像データに対して色補正を行うことで、前記複数の眼鏡に対応する眼鏡用画像データを算出する
請求項１に記載の画像処理装置。
【請求項７】
前記眼鏡情報取得部は、前記眼鏡に設けられた通信部を介して前記眼鏡に接続される
請求項１に記載の画像処理装置。
【請求項８】
眼鏡の情報を眼鏡情報取得部で取得し、
前記眼鏡情報取得部で取得された眼鏡情報を用い、裸眼用に調整された裸眼用画像データに対して色補正がなされた眼鏡用画像データを算出する
画像処理方法。
【請求項９】
眼鏡の情報を取得する眼鏡情報取得部と、
前記眼鏡情報取得部で取得された眼鏡情報を用い、裸眼用に調整された裸眼用画像データに対して色補正がなされた眼鏡用画像データを算出する眼鏡用画像データ算出部と、
前記眼鏡用画像データを用いて所望の記録媒体上に画像を形成する画像形成部とを
備える画像形成装置。
【請求項１０】
前記裸眼用画像データを用いた画像と前記眼鏡用画像データを用いた画像とを１枚の記録媒体の異なる領域に形成する
請求項９に記載の画像形成装置。
【発明の詳細な説明】
【技術分野】
【０００１】
本発明は、使用される眼鏡に応じて色相補正された画像を出力するための画像処理装置、画像処理方法、及び、この画像処理装置を用いた画像形成装置に関する。
【背景技術】
【０００２】
工場や実験室では、目の保護のため、色つきの眼鏡を装着しなくてはならない場合がある。例えば紫外線殺菌の作業室では紫外線抑制眼鏡、レーザー加工機のある部屋ではレーザー抑制の眼鏡、溶接機の置かれた場所ではサングラスのような光量抑制の眼鏡の着用が必須である。
【０００３】
また、薬品等を扱う工場や実験室では、飛散した薬品が目に入らないように防護眼鏡を着用する場合がある。この場合も、その場所に紫外線やレーザー等の装置があれば、色がついた眼鏡が必要になる。また、実験室などで用いられる装置は、市販の装置に比較して、安全対策がされていない場合も多く想定されるため、なおのこと防護眼鏡の装着が必要になる。
【０００４】
そして、工場や実験室では、このような色つきの眼鏡の装着下において、作業マニュアルやコンピューターのディスプレイ画面を見ながらの作業を行わなければならないことも多い。しかしながら、作業マニュアルや、ディスプレイ画面の出力は、裸眼で見ることを前提としているため、色つきの眼鏡を装着して裸眼用に準備された作業マニュアルやディスプレイ画面を見た場合には、本来の色相とは異なった色相で作業者に認識され得る。特に、経験がない環境で作業する場合や、作業者が初心者である場合には、裸眼用に準備された作業マニュアルの内容を誤って判断する恐れがある。
【０００５】
例えば、黄色の眼鏡を装着して作業マニュアルを見た場合、注意事項が黄色の文字で記載されていると、黄色の文字を認識しにくいため、注意事項を見逃す恐れがある。また、検査装置を用いる工場ラインなどで、検査結果をディスプレイに表示する場合も、裸眼で見ることを前提に、「ＮＧ」を赤、「ＯＫ」を青や緑で色別に表示することがある。この場合にも、作業者が色つき眼鏡を装着して検査結果をディスプレイで確認したときに誤判断する恐れがある。
【０００６】
従来、３Ｄ眼鏡の光の透過特性を含む３Ｄ眼鏡特性情報をディスプレイ装置にて取得し、取得した３Ｄ眼鏡特性に応じてディスプレイ装置が自動的に画質の補正を行う構成が特許文献１に開示されている。しかしながら、特許文献１では、３Ｄ眼鏡を装着した場合における色相の変化については記載がない。
【先行技術文献】
【特許文献】
【０００７】
【特許文献１】特開２０１３−１４１２２４号公報
【発明の概要】
【発明が解決しようとする課題】
【０００８】
そこで、本発明は、色つき眼鏡の使用者に対して、色相補正された画像を提供することができる画像処理装置及び画像処理方法を提供する。また、その画像処理装置を用いた画像形成装置を提供する。
【課題を解決するための手段】
【０００９】
上記課題を解決し、本発明の目的を達成するため、本発明の画像処理装置は、眼鏡の情報を取得する眼鏡情報取得部と、眼鏡情報取得部で取得された眼鏡情報を用い、裸眼用に調整された裸眼用画像データに対して色補正がなされた眼鏡用画像データを算出する眼鏡用画像データ算出部と備える。
【００１０】
また、本発明の画像処理方法は、眼鏡の情報を眼鏡情報取得部で取得し、眼鏡情報取得部で取得された眼鏡情報を用い、裸眼用に調整された裸眼用画像データに対して色補正がなされた眼鏡用画像データを算出する。
【００１１】
また、本発明の画像形成装置は、眼鏡の情報を取得する眼鏡情報取得部と、眼鏡情報取得部で取得された眼鏡情報を用い、裸眼用に調整された裸眼用画像データに対して色補正がなされた眼鏡用画像データを算出する眼鏡用画像データ算出部と、眼鏡用画像データを用いて所望の記録媒体上に画像を形成する画像形成部とを備える。
【発明の効果】
【００１２】
本発明によれば、色つき眼鏡の使用者が、裸眼時と同様の色相で認識することができる画像を得ることができる。
【図面の簡単な説明】
【００１３】
【図１】本発明の第１の実施形態に係る画像形成装置の概略構成図である。
【図２】画像形成装置及びユーザーが用いる眼鏡の制御系の構成を示す図である。
【図３】図３Ａは、ある画像を裸眼で見た場合の色成分の濃度を示す図である。図３Ｂは、ブルーカットレンズを用いた眼鏡を装着した場合に見える色成分の濃度を示す図である。図３Ｃは、図３Ｂに示す眼鏡を装着して図３Ａの画像を見た場合に、ユーザーが認識する画像の色成分の濃度を示す図である。
【図４】図４Ａは、図３Ａの画像に対して色補正を行った後の画像である。図４Ｂは、ブルーカットレンズの眼鏡を装着した場合に見える色成分の濃度を示す図である。図４Ｃは、補正後の画像（図４Ａ）を、図４Ｂに示す眼鏡を装着して見た場合にユーザーが認識する画像の色成分の濃度を示す図である。
【図５】図５Ａは、裸眼で認識する画像の色成分の濃度を示す図である。図５Ｂは、眼鏡を装着した場合に見える色成分の濃度を示す図である。図５Ｃは、図５Ｂの特性の眼鏡を装着して図５Ａを見た場合に認識する画像の色成分の濃度を示す図である。
【図６】図６Ａは、裸眼で認識する画像の色成分の濃度を示す図である。図６Ｂは、眼鏡を装着した場合に見える色成分の濃度を示す図である。図６Ｃは、図６Ｂの特性の眼鏡を装着して色補正された画像を見た場合に認識する画像の色成分の濃度を示す図である。
【図７】本発明の第１の実施形態の画像形成装置における画像処理方法を示すフローチャートである。
【図８】本発明の第１の実施形態の画像形成装置における画像処理方法を示すデータフロー図である。
【図９】本発明の第１の実施形態の画像形成装置における画像処理方法を示す説明図である。
【図１０】本発明の第１の実施形態の画像形成装置で出力（印刷）することができる印刷物の他の例（その１）を示す図である。
【図１１】本発明の第１の実施形態の画像形成装置で出力（印刷）することができる眼鏡情報付きの印刷物の他の例（その２）を示す図である。
【図１２】本発明の第２の実施形態に係る画像処理方法において、眼鏡Ａを装着していないユーザーが眼鏡Ａ用の印刷物を取得する場合の説明図である。
【図１３】本発明の第３の実施形態に係る画像処理方法において、眼鏡Ｂを装着したユーザーが、眼鏡Ｂとは特性が異なる眼鏡Ａの眼鏡情報が書き込まれた印刷物を原稿として眼鏡Ｂ用の印刷物を出力する場合の説明図である。
【発明を実施するための形態】
【００１４】
以下、本発明の実施形態に係る画像処理装置、画像処理方法及び画像形成装置の一例を、図面を参照しながら説明する。なお、本発明は以下の例に限定されるものではない。以下で説明する各図において、共通の部材には同一の符号を付している。また、説明は、以下の順に行う。
１．第１の実施形態（画像形成装置において装着する眼鏡に応じて画像データを補正する例）
１−１．画像形成装置の構成
１−２．画像形成装置の制御系
１−３．色補正方法及び色補正要否判断方法
１−３−１．色補正方法
１−３−２．色補正を行わない場合の第１例（白抜き文字の場合）
１−３−３．色補正を行わない場合の第２例（光学濃度の低い眼鏡を使用する場合）
１−３−４．色補正を行わない場合の第３例（光学濃度の高い眼鏡を使用する場合）
１−４．画像処理方法
２．第２の実施形態（眼鏡情報付きの印刷物を用いて画像処理を行う例（その１））
３．第３の実施形態（眼鏡情報付きの印刷物を用いて画像処理を行う例（その２））
【００１５】
１．第１の実施形態（画像形成装置）
１−１．画像形成装置の構成
図１に、本発明の第１の実施形態に係る画像形成装置の概略構成を示す。本実施形態の画像形成装置１は、電子写真方式の画像形成装置であり、例えば、イエロー（Ｙ）、マゼンタ（Ｍ）、シアン（Ｃ）及びブラック（Ｋ）の４色のトナーを重ね合わせるタンデム形式のカラー画像形成装置である。このような画像形成装置１は、複写機、プリンタ装置、ファクシミリ装置、印刷機、複合機に適用されるものである。
【００１６】
また、本実施形態の画像形成装置１は、特定の波長の光を透過するように構成された眼鏡を装着したユーザーに対して、裸眼時に近い色相で見ることができる画像を出力するための構成を有する。
【００１７】
図１に示すように、本実施形態の画像形成装置１は、原稿搬送部１０と、用紙収納部２０と、画像読取部３０と、画像処理部７０（本発明の画像処理装置に相当）と、画像形成部４０と、中間転写ベルト５０と、搬送部２３と、２次転写部６０と、定着部８０とを備える。
【００１８】
原稿搬送部１０は、原稿Ｇをセットする原稿給紙台１１と、複数のローラ１２と、搬送ドラム１３と、搬送ガイド１４と、原稿排出ローラ１５と、原稿排出トレイ１６とを有している。原稿給紙台１１にセットされた原稿Ｇは、複数のローラ１２及び搬送ドラム１３によって、画像読取部３０の読み取り位置に１枚ずつ搬送される。搬送ガイド１４及び原稿排出ローラ１５は、複数のローラ１２及び搬送ドラム１３により搬送された原稿Ｇを原稿排出トレイ１６に排出する。
【００１９】
画像読取部３０は、原稿搬送部１０によって搬送された原稿Ｇ又は原稿台３１に載置された原稿の画像を読み取って、画像信号を生成する。具体的には、原稿Ｇの画像がランプＬによって照射される。原稿Ｇからの反射光は、第１ミラーユニット３２、第２ミラーユニット３３、レンズユニット３４の順に導かれて、撮像素子３５の受光面に結像する。撮像素子３５は、入射した光を光電変換して所定の画像信号として出力する。画像読取部３０は、出力された画像信号をＡ／Ｄ変換することにより入力画像データを作成する。この入力画像データには、画像処理部７０において所定の画像処理が施される。
【００２０】
画像処理部７０は、画像読取部３０から送信されてきた入力画像データに対して、初期設定又はユーザー設定に応じたデジタル画像処理を行う回路等を備える。本実施形態では、画像処理部７０では、裸眼用画像データ、眼鏡用画像データ、及び、眼鏡情報付き裸眼用画像データを算出することができる。裸眼用画像データは、裸眼時に見る画像のデータである。眼鏡用画像データは、所定の光学濃度及び透過特性を有する眼鏡を装着した時に見る画像のデータであり、眼鏡を装着したままでも、裸眼時に見る画像と近い色相で見ることができるように色補正された画像のデータである。眼鏡情報付き裸眼用画像データは、ユーザーが装着する予定の眼鏡の情報が書き込まれた画像のデータである。
【００２１】
画像処理部７０において算出されるこれらの画像データは、後述する記憶部としてのＨＤＤ２０４（図２参照）に記憶される。画像処理部７０の構成、及び、算出される画像データの詳細については後述する。
【００２２】
なお、画像処理部７０で画像処理される画像データは、画像読取部３０から出力されるデータに限定されず、画像形成装置１に接続されたパーソナルコンピュータ１２０（図２参照）や他の画像形成装置などの外部装置から受信したものであってもよい。
【００２３】
用紙収納部２０は、装置本体の下部に配置されており、用紙Ｓのサイズに応じて複数設けられている。この用紙Ｓは、給紙部２１により給紙されて搬送部２３に送られる。また、用紙収納部２０の近傍には、手差部２２が設けられている。この手差部２２からは、用紙収納部２０に収納されていないサイズの用紙やタグを有するタグ紙、ＯＨＰシート等の特殊紙が転写位置へ送られる。
【００２４】
搬送部２３は、２次転写部６０の上流側に設けられ、搬送ローラと、２次転写部６０の近傍に設けられたレジストローラ対２８とを備える。レジストローラ対２８は、駆動ローラ２８ａと、駆動ローラ２８ａの上側に圧接した状態で配置された従動ローラ２８ｂとからなる一対のローラで構成されている。そして、駆動ローラ２８ａと従動ローラ２８ｂとの間に構成されるニップ部が用紙Ｓの搬送経路となる。
【００２５】
給紙部２１より給紙されて搬送部２３に送られてくる用紙Ｓは、搬送ローラ及びレジストローラ対２８により転写位置である２次転写部６０に搬送される。レジストローラ対２８は、２次転写部６０においてトナー像の転写が可能になるタイミングで、用紙Ｓを２次転写部６０に送り出す。
【００２６】
画像読取部３０と用紙収納部２０との間には、画像形成部４０と中間転写ベルト５０が配置されている。画像形成部４０は、イエロー（Ｙ）、マゼンタ（Ｍ）、シアン（Ｃ）、ブラック（Ｋ）の各色のトナー像を形成するために、４つの画像形成ユニット４０Ｙ，４０Ｍ，４０Ｃ，４０Ｋを有する。
【００２７】
第１の画像形成ユニット４０Ｙはイエローのトナー像を形成し、第２の画像形成ユニット４０Ｍはマゼンタのトナー像を形成する。また、第３の画像形成ユニット４０Ｃは、シアンのトナー像を形成し、第４の画像形成ユニット４０Ｋは、ブラックのトナー像を形成する。これら４つの画像形成ユニット４０Ｙ，４０Ｍ，４０Ｃ，４０Ｋは、それぞれ同一の構成を有しているため、ここでは代表して第１の画像形成ユニット４０Ｙについて説明する。
【００２８】
第１の画像形成ユニット４０Ｙは、ドラム状の感光体４１と、感光体４１の周囲に配置された帯電部４２と、露光部４３と、現像部４４と、クリーニング部４５を有している。感光体４１は、駆動モータ（図示を省略する）によって反時計回りに回転する。帯電部４２は感光体４１に電荷を与え感光体４１の表面を一様に帯電する。露光部４３は、原稿Ｇから読み取られた画像データに基づいて、感光体４１の表面に対して露光操作を行い感光体４１に静電潜像を形成する。
【００２９】
現像部４４は、感光体４１に形成された静電潜像にイエローのトナーを付着させる。これにより、感光体４１の表面には、イエローのトナー像が形成される。なお、第２の画像形成ユニット４０Ｍの現像部４４は、感光体４１にマゼンタのトナーを付着させ、第３の画像形成ユニット４０Ｃの現像部４４は、感光体４１にシアンのトナーを付着させる。そして、第４の画像形成ユニット４０Ｋの現像部４４は、感光体４１にブラックのトナーを付着させる。
【００３０】
感光体４１上に付着したトナーは、中間転写ベルト５０に転写される。クリーニング部４５は、中間転写ベルト５０に転写した後、感光体４１の表面に残留しているトナーを除去する。
【００３１】
中間転写ベルト５０は、無端状に形成されており、駆動モータ（図示を省略する）で感光体４１の回転方向とは逆方向の時計回りに回転する。中間転写ベルト５０における各画像形成ユニット４０Ｙ，４０Ｍ，４０Ｃ，４０Ｋの感光体４１と対向する位置には、１次転写部５１が設けられている。この１次転写部５１は、中間転写ベルト５０にトナーと反対の極性を印加することで、感光体４１上に形成されたトナー像を中間転写ベルト５０に転写させる。
【００３２】
そして、中間転写ベルト５０が回転することで、中間転写ベルト５０の表面には、４つの画像形成ユニット４０Ｙ，４０Ｍ，４０Ｃ，４０Ｋで形成されたトナー像が順次転写される。これにより、中間転写ベルト５０上には、イエロー、マゼンタ、シアン及びブラックのトナー像が重なり合いカラー画像が形成される。
【００３３】
中間転写ベルト５０の近傍で、かつ搬送部２３の下流側には、２次転写部６０が配置されている。２次転写部６０は、中間転写ベルト５０が張架された転写上ローラ５２と、中間転写ベルト５０を挟んで転写上ローラ５２側に押圧された転写下ローラ６１からなる転写ローラ対で構成されている。
【００３４】
２次転写部６０では、搬送部２３においてレジストローラ対２８で狭持されて搬送されてきた用紙Ｓを転写下ローラ６１で中間転写ベルト５０側に押圧する。そして、２次転写部６０は、搬送部２３から送られてきた用紙Ｓ上に中間転写ベルト５０に形成されたカラーのトナー像を転写する。
【００３５】
定着部８０は、２次転写部６０の、用紙Ｓが搬送される下流側（排出側）に設けられており、一対の上定着ローラ８１及び下定着ローラ８２からなる定着ローラ対を有する。定着部８０では、未定着のトナー像を有する用紙Ｓを上定着ローラ８１及び下定着ローラ８２で狭持して加圧加熱することに、用紙Ｓにトナー像を定着させる。
【００３６】
定着部８０の下流には、切換ゲート２４が配置されている。切換ゲート２４は、定着部８０を通過した用紙Ｓの搬送経路を切り換える。すなわち、切換ゲート２４は、片面画像形成におけるフェースアップ排紙を行う場合に、用紙Ｓを直進させる。これにより、用紙Ｓは、一対の排紙ローラ２５によって排紙される。また、切換ゲート２４は、片面画像形成における画像形成面を下方に向けて排紙するフェースダウン排紙、及び、両面画像形成を行う場合に、用紙Ｓを下方に案内する。
【００３７】
フェースダウン排紙を行う場合は、切換ゲート２４によって用紙Ｓを下方に案内した後に、用紙反転搬送部２６によって表裏を反転して上方に搬送する。これにより、用紙Ｓは、一対の排紙ローラ２５によって排紙される。両面画像形成を行う場合は、切換ゲート２４によって用紙Ｓを下方に案内した後に、用紙反転搬送部２６によって表裏を反転し、再給紙路２７により再び用紙を転写位置へ送る。
【００３８】
また、一対の排紙ローラ２５の下流側に、用紙Ｓを折ったり、用紙Ｓに対してステーブル処理等を行ったりする後処理装置を配置してもよい。さらに、図１では図示を省略するが、液晶表示装置（ＬＣＤ）又は有機ＥＬＤ（Electro Luminescence Display）等のディスプレイからなるタッチパネルで構成された操作表示部２０５（図２参照）を備える。
【００３９】
１−２．画像形成装置の制御系
次に、画像形成装置１の制御系の構成について説明する。図２は、画像形成装置１及びユーザーが用いる眼鏡１００の制御系の構成を示す。
【００４０】
画像形成装置１は、制御部２００を備える。制御部２００は、例えばＣＰＵ（Central Processing Unit）２０１と、ＣＰＵ２０１が実行するプログラム等を記憶するためのＲＯＭ（Read Only Memory）２０２と、ＣＰＵ２０１の作業領域として使用されるＲＡＭ（Random Access Memory）２０３と、を有する。さらに、画像形成装置１は、大容量記憶装置としてのハードディスクドライブ（ＨＤＤ）２０４と、操作表示部２０５と、画像処理部７０とを有する。なお、ＲＯＭ２０２としては、通常電気的に消去可能なプログラマブルＲＯＭが用いられる。
【００４１】
制御部２００は、画像読取部３０、画像処理部７０、画像形成部４０、操作表示部２０５及びＨＤＤ２０４にそれぞれシステムバス１０７を介して接続され、装置全体を制御する。
【００４２】
ＨＤＤ２０４は、画像読取部３０で読み取って得た原稿画像の入力画像データを記憶したり、出力済みの画像データ等を記憶したりする。また、ＨＤＤ２０４は、画像処理部７０によって画像処理された裸眼用画像データ、眼鏡用画像データ、眼鏡情報付き裸眼用画像データ等を記憶する。さらに、ＨＤＤ２０４は、作業場でユーザーが装着する眼鏡１００に用いられるレンズの光学濃度、波長に対する透過特性などの眼鏡情報を記憶する。
【００４３】
操作表示部２０５は、ユーザーに対する指示メニューや取得した画像データに関する情報等を表示する。さらに、操作表示部２０５は、複数のキーを備え、ユーザーのキー操作による各種の指示、文字、数字などのデータの入力を受け付ける入力部としての役割を持つ。
【００４４】
本実施形態では、ユーザーが、眼鏡用に色補正がなされた画像が形成された印刷物の出力を要する場合は、眼鏡用の画像が形成された印刷物の出力指示を操作表示部２０５から入力することができる。
【００４５】
画像読取部３０は、原稿画像を光学的に読み取って電気信号に変換する。例えば、カラー原稿を読み取る場合は、一画素当たりＲＧＢ各１０ビットの輝度情報をもつ画像データを生成する。画像読取部３０によって生成された入力画像データや、画像形成装置１に接続された外部装置の一例を示すＰＣ（パーソナルコンピュータ）１２０から送信される画像データは、画像処理部７０に送られ、画像処理される。
【００４６】
さらに、画像読取部３０は、後述する眼鏡情報付きの印刷物１５０Ｃ（図９及び図１２参照）を読み取った場合には、制御部２００の制御の下、眼鏡情報を取得し、その眼鏡情報をＨＤＤ２０４に送信する。
【００４７】
画像処理部７０は、眼鏡情報取得部７１と、裸眼用画像データ算出部７２と、色補正要否判断部７３と、眼鏡用画像データ算出部７４と、眼鏡情報書き込み要否判断部７５と、データ統合部７６とを有する。
【００４８】
裸眼用画像データ算出部７２は、一般的な画像形成装置における画像処理部で行われる処理と同様の画像処理を行う。例えば、裸眼用画像データ算出部７２では、制御部２００の制御の下、入力画像データに対して、階調補正データに基づいて階調補正を行う他、色補正、シェーディング補正等の各種補正や圧縮処理等を施し、裸眼用画像データを算出する。
【００４９】
眼鏡情報取得部７１は、制御部２００の制御の下、ユーザーが使用する予定の眼鏡１００の眼鏡情報（レンズの色、光学濃度、透過特性など）を取得する。眼鏡情報取得部７１は、例えば、ユーザーが装着している眼鏡１００が有する通信部１０１と各種データの送受信が可能に構成され、ユーザーが装着している眼鏡１００の通信部１０１を介して、眼鏡１００の眼鏡情報記憶部１０２が有する眼鏡情報を取得する。
【００５０】
眼鏡情報取得部７１と、ユーザーが装着している眼鏡１００との接続は種々の態様が可能である。例えば、画像形成装置１側にユーザーを撮影可能なカメラ（図示を省略する）を設け、眼鏡１００側にアクセスコードを設けることで、カメラが眼鏡１００のアクセスコードを読み取った場合には眼鏡情報取得部７１と眼鏡１００との接続を行う構成とする。これにより、眼鏡１００を装着したユーザーが、画像形成装置１に近づいた際に、自動的にカメラが眼鏡１００のアクセスコードを読み取り、眼鏡情報取得部７１と眼鏡１００との接続を行うことができる。
【００５１】
また、眼鏡情報取得部７１と眼鏡１００とを、例えばＢｌｕｅｔｏｏｔｈ（登録商標）等の近距離無線通信で接続可能に構成としてもよい。この場合、例えば、操作表示部２０５やドライバＵＩ（図示を省略する）に「眼鏡使用モード」キーを設定し、「眼鏡使用モード」をユーザーが指定した際に、眼鏡情報取得部７１と眼鏡１００との接続を行う構成とする。
【００５２】
その他、眼鏡１００を装着したユーザーが、操作表示部２０５を触れた際に、人体を通して、眼鏡情報取得部７１と眼鏡１００とを電気的に接続し、眼鏡情報取得部７１が眼鏡情報を取得する構成とすることもできる。
【００５３】
また、眼鏡情報取得部７１は、ＨＤＤ２０４に予め記憶されている眼鏡情報を取得することもできる。例えば、ユーザーが、操作表示部２０５又はＰＣ１２０において「眼鏡使用モード」キーを選択した場合に、眼鏡情報取得部７１は、制御部２００の制御の下、ＨＤＤ２０４から所望の眼鏡情報を取得する。
【００５４】
また、予めコード化された眼鏡情報が書き込まれた眼鏡情報付きの印刷物を用いた場合は、その印刷物を読み込むと同時に眼鏡情報取得部７１にて眼鏡情報を取得する構成としてもよい。印刷物に眼鏡情報を保持させる方法については後述する。
【００５５】
色補正要否判断部７３は、眼鏡情報取得部７１で取得された眼鏡１００の光学濃度に応じて、色補正が必要か否かを判断する。色補正要否判断部７３における色補正要否判断方法については後で詳述する。
【００５６】
眼鏡用画像データ算出部７４は、色補正要否判断部７３において、色補正が必要であると判断された場合に、眼鏡情報取得部７１で取得された眼鏡情報と裸眼用画像データＤ１とを参照して、眼鏡用画像データＤ２を算出する。眼鏡用画像データＤ２は、ユーザーが色つきの眼鏡１００を装着した場合にも、裸眼の時と近い色で認識できるように補正された画像データである。
【００５７】
眼鏡用画像データ算出部７４では、制御部２００の制御の下、裸眼用画像データＤ１と眼鏡情報とを照らし合わせ、階調補正、色補正、シェーディング補正等の各種補正や圧縮処理等を施し、眼鏡用画像データＤ２を算出する。特に、眼鏡用画像データ算出部７４における色補正では、眼鏡を装着して見る画像の色相が、裸眼で見る画像の色相と同じになるように、例えばＹ、Ｍ、Ｃの各色の濃度を補正する。眼鏡用画像データ算出部７４における色補正方法については後で詳述する。この眼鏡用画像データ算出部７４で算出された眼鏡用画像データＤ２は、ＨＤＤ２０４に記憶される。
【００５８】
眼鏡情報書き込み要否判断部７５は、眼鏡情報取得部７１で取得された眼鏡情報を裸眼用画像データＤ１に書き込むか否かを判断する。眼鏡情報書き込み要否判断部７５における要否判断は、ユーザーの指示にしたがって行われる。
【００５９】
データ統合部７６は、眼鏡情報書き込み要否判断部７５において眼鏡情報の書き込みが必要であると判断された場合に、制御部２００の制御の下、裸眼用画像データ算出部７２で算出された裸眼用画像データＤ１に、眼鏡情報を統合する。これにより、データ統合部７６では、裸眼用画像データＤ１と眼鏡情報とが統合された眼鏡情報付き裸眼用画像データＤ３が作成される。そして、データ統合部７６で得られた眼鏡情報付き裸眼用画像データＤ３は、ＨＤＤ２０４に記憶される。
【００６０】
画像形成部４０は、制御部２００の制御の下、ＨＤＤ２０４に保存された裸眼用画像データＤ１、眼鏡用画像データＤ２、又は、眼鏡情報付き裸眼用画像データＤ３に基づき、Ｙ成分、Ｍ成分、Ｃ成分、Ｋ成分の各有色トナーによる画像を形成する。画像形成部４０において用いられる画像データは、ユーザーの操作表示部２０５における入力、又は、ＰＣ１２０等の外部装置からの入力によって適宜選択される。
【００６１】
１−３．色補正方法及び色補正要否判断方法
次に、本実施形態の画像形成装置１において為される眼鏡情報に基づいた色補正方法及び色補正要否判断方法について説明する。
【００６２】
１−３−１．色補正方法
まず、眼鏡情報に基づいて色補正を行う方法について説明する。ここでは、例えばブルーカットレンズを用いた眼鏡を用いる場合の色補正の一例について説明する。図３Ａは、ある画像（Ｍ成分ｍ０）を裸眼で見た場合の色成分の濃度を示す図である。また、図３Ｂは、ブルーカットレンズを用いた眼鏡を装着した場合に見える色成分の濃度（光学濃度）を示す図である。また、図３Ｃは、図３Ｂに示す眼鏡を装着して図３Ａの画像を見た場合に、ユーザーが認識する画像の色成分の濃度を示す図である。図３Ａ〜図３Ｃにおいて、横軸にＹ、Ｍ、Ｃの各色成分を示す。また、図３Ａ及び図３Ｃの縦軸にはユーザーが認識する画像の各色成分の濃度を示し、図３Ｂの縦軸には、眼鏡の各色成分の濃度を示す。
【００６３】
ブルーカットレンズを用いた眼鏡を装着した場合、青色の光の透過が減る分、補色である黄色又はオレンジ成分の光の濃度が高く認識される。図３Ｂでは、説明を分かりやすくするため、眼鏡の装着により、Ｍ成分ｍ１とＣ成分ｃ１が減少する分、Ｙ成分ｙ１の濃度が高くなる例を示している。したがって、ユーザーが、このブルーカットレンズを用いた眼鏡を装着して図３Ａに示す画像を見た場合には、図３Ｃに示すように、図３Ａで示す画像（Ｍ成分ｍ０）に対し、Ｙ成分ｙ１が多く、全体的に黄色みがかった画像として認識する。このように、元の画像に対して色補正をしない場合は、眼鏡の色に応じて、認識する色相が変化する。
【００６４】
これに対し、色補正を行う場合について説明する。図４Ａは、図３Ａの画像に対して色補正を行った後の画像である。また、図４Ｂは、図３Ｂと同様、ブルーカットレンズの眼鏡を装着した場合に見える色成分の濃度（光学濃度）を示す図である。また、図４Ｃは、補正後の画像（図４Ａ）を、図４Ｂに示す眼鏡を装着した場合にユーザーが認識する画像の色成分の濃度を示す図である。図４Ａ〜図４Ｃにおいて、横軸にＹ、Ｍ、Ｃの各色成分を示す。また、図４Ａ及び図４Ｃの縦軸にはユーザーが認識する画像の各色成分の濃度を示し、図４Ｂの縦軸には、眼鏡の光学濃度を示す。
【００６５】
図４Ａに示すように、元の画像（Ｍ成分ｍ０）に対して、眼鏡の装着によって減少するＭ成分ｍ１とＣ成分ｃ１を加算するように色補正を行うことで、眼鏡を装着した際に図４Ｃに示す色相として認識することができる。このように、図４Ａに示すように補正することで、眼鏡をかけて図４Ａに示す画像を見た場合に、Ｙ成分、Ｍ成分、Ｃ成分の色相のバランスは、裸眼で図３Ａを見た場合と同様になる。したがって、図４Ａに示すように色補正することで、図４Ｂに示す特性の眼鏡を装着した場合でも、裸眼で図３Ａを見た場合と同様の色相で画像を認識することができる。
【００６６】
図４Ａに示す色補正は眼鏡用画像データ算出部７４で行う。眼鏡用画像データ算出部７４では、図４Ａに示すように、眼鏡によって減色される分の色成分を、元の画像に対して加算することで眼鏡用画像データＤ２を算出する。すなわち、眼鏡用画像データ算出部７４では、眼鏡情報に基づいて、眼鏡によって減色される分の色成分を元の画像の色成分に加算し、眼鏡用画像データＤ２を算出する。
【００６７】
ところで、眼鏡を装着する場合でも、原稿の種類や、眼鏡の色の濃度によって色補正を行わなくても良い場合がある。以下に、色補正を行わない場合について説明する。
【００６８】
１−３−２．色補正を行わない場合の第１例（白抜き文字の場合）
原稿が白抜き文字の場合、色つきの眼鏡を装着すると、白抜き文字の部分に色がついて見えることになる。しかしながら、印刷では、眼鏡を装着した際に見える白抜き文字の色を薄くすることはできない。一方、人間の目は「色順応」の機能があるため、所定時間経過後、白抜き文字を「白」と認識するようになる。したがって、原稿が白抜き文字の場合は、制御部２００の制御のもと、色補正要否判断部７３で色補正は必要無いと判断し、色補正を行わないように構成することができる。
【００６９】
１−３−３．色補正を行わない場合の第２例（光学濃度の低い眼鏡を使用する場合）
所定値以下の光学濃度の色つき眼鏡を使用する場合について説明する。図５Ａは、裸眼で認識する画像の色成分の濃度を示す図である。また、図５Ｂは、眼鏡を装着した場合に見える色成分の濃度（Ｘ１）を示す図である。また、図５Ｃは、図５Ｂの特性の眼鏡を装着して図５Ａを見た場合に認識する画像の色成分の濃度を示す図である。図５Ａ〜図５Ｃにおいて、横軸にＹ、Ｍ、Ｃの各色を示す。また、図５Ａ及び図５Ｃの縦軸にはユーザーが認識する画像の各色成分の濃度を示し、図５Ｂの縦軸には、眼鏡の光学濃度を示す。
【００７０】
眼鏡の光学濃度Ｘ１が所定値よりも低い場合、眼鏡を装着して見える画像（図５Ｃ）と、裸眼時に見える画像（図５Ａ）と、その色相分布の形状があまり変わらない。この場合には、色補正を行わなくても、眼鏡を装着したユーザーは裸眼時とほぼ同じ色を認識することができる。また、背景が白（用紙が白）であれば、色順応により背景は白に見えてくるため色補正は必要ない。
【００７１】
このように、装着する眼鏡の光学濃度Ｘ１が所定値よりも低い場合には、色補正要否判断部７３において、色補正は必要無いと判断し、色補正を行わないように構成することができる。例えば、色補正要否判断部７３において眼鏡の光学濃度の下限値を設定し、装着する眼鏡の光学濃度が、下限値未満である場合には色補正は必要ないと判断する。色補正の要否判断に用いられる光学濃度Ｘ１の下限値については種々の設定が可能である。
【００７２】
１−３−４．色補正を行わない場合の第３例（光学濃度の高い眼鏡を使用する場合）
所定値以上の光学濃度の色つき眼鏡を使用する場合について説明する。図６Ａは、裸眼で認識する画像の色成分の濃度を示す図である。また、図６Ｂは、眼鏡を装着した場合に見える色成分の濃度（Ｘ２）を示す図である。また、図６Ｃは、図６Ｂの特性の眼鏡を装着して図６Ａを見た場合に認識する画像の色成分の濃度を示す図である。図６Ａ〜図６Ｃにおいて、横軸にＹ、Ｍ、Ｃの各色を示す。また、図６Ａ及び図６Ｃの縦軸にはユーザーが認識する画像の濃度を示し、図６Ｂの縦軸には、装着する眼鏡の光学濃度を示す。
【００７３】
ここでは、図６Ｂに示すように、Ｍ成分ｍ１及びＣ成分ｃ１が減少する分、Ｙ成分ｙ１の濃度が高くなる眼鏡を装着する場合を例に説明する。この場合も、色補正する場合には、眼鏡の装着によって減少する色成分（Ｍ成分ｍ１及びＣ成分ｃ１）を図６Ａに示す元の画像（Ｍ成分ｍ０）に加算する。そうすると、図６Ａの破線で示すような色相分布となる。
【００７４】
そして、図６Ａの破線で示す色相分布の画像を、図６Ｂで示す眼鏡を通して見ると、図６Ｃに示すような色相分布となる。この場合、図６Ｃに示す色相分布は、図６Ａに示す、色補正前の画像（Ｍ成分ｍ０）と、その色相分布における凹凸形状を同じとすることができ、色補正による色の再現ができる。しかしながら、全体の濃度が高くなり、この結果、眼鏡を装着して見る画像が暗くなってしまうため、色相の差が分からなくなる。したがって、光学濃度の高い眼鏡を装着する場合は、必ずしも色補正をした方がよいとは限らない。
【００７５】
このように、装着する眼鏡の光学濃度Ｘ２が所定値よりも高い場合には、色補正要否判断部７３において、色補正は必要無いと判断し、色補正を行わないようにすることができる。例えば、色補正要否判断部７３において眼鏡の光学濃度の上限値を設定し、装着する眼鏡の光学濃度が上限値よりも高い場合には、色補正は必要ないと判断する。色補正の要否判断に用いられる光学濃度Ｘ２の上限値については波長（色）毎に種々の設定が可能である。
【００７６】
１−４．画像処理方法
次に、本実施形態の画像形成装置１における画像処理方法の一例について説明する。図７は、本実施形態の画像形成装置１における画像処理方法を示すフローチャートである。また、図８は、本実施形態の画像形成装置１における画像処理方法を示すデータフロー図である。また、図９は、本実施形態の画像形成装置１における画像処理方法を示す説明図である。ここでは、図９に示すように、眼鏡Ａを装着したユーザー３００が、裸眼用の原稿１５０を用いて、眼鏡Ａ用の画像を有する印刷物１５０Ａと、眼鏡Ａの眼鏡情報１００ａを有する印刷物１５０Ｃを出力する場合を例に説明する。眼鏡Ａは、図２に示す眼鏡１００と同様の構成を有する。
【００７７】
ここで、裸眼用の原稿１５０とは、裸眼で見た場合に適切な色で認識することができる画像が形成された原稿である。また、眼鏡Ａ用の印刷物１５０Ａは、眼鏡Ａを装着したユーザーが裸眼時に原稿１５０を見た場合と近い色相で見えるように色補正された画像が形成された印刷物である。また、眼鏡情報付きの印刷物１５０Ｃは、原稿１５０に、眼鏡Ａの眼鏡情報１００ａが書き込まれた印刷物である。
【００７８】
図８に示すように、ユーザー３００の操作指示により、画像形成処理がスタートする。ユーザー３００は、画像形成装置１における操作表示部２０５又は画像形成装置１に接続されたＰＣ１２０等の外部装置から、原稿指定、及び、眼鏡情報の書き込み指示等を行う。ユーザー３００が原稿１５０をスキャンする場合には、画像形成装置１の原稿給紙台１１又は原稿台３１に所望の原稿１５０を載置する。画像形成装置１の画像読取部３０では、制御部２００の制御の下、ＰＣ１２０から指定された原稿１５０や、原稿給紙台１１又は原稿台３１に載置された原稿１５０に応じて入力画像データを形成する。
【００７９】
ユーザー３００からの操作指示を受けた場合、画像処理部７０は、ユーザー３００が装着している眼鏡Ａの通信部１０１に接続する（図２参照）。画像処理部７０と眼鏡Ａの通信部１０１との接続は、例えば、ユーザー３００が操作表示部２０５をタッチすることに応じて行うか、又は、画像形成装置１に備えられたカメラ（図示を省略する）で眼鏡Ａのアクセスコードを確認することに応じて行うことができる。画像処理部７０と眼鏡Ａの通信部１０１との接続のタイミング及び接続方法については、前述したように種々の仕様が可能である。
【００８０】
画像処理部７０と眼鏡Ａの通信部１０１とが接続された後、画像処理部７０における眼鏡情報取得部７１は、通信部１０１から眼鏡情報を取得する(ステップＳ１)。眼鏡情報取得部７１で取得された眼鏡情報は、制御部２００の制御の下、ＨＤＤ２０４に保存される。
【００８１】
次に、画像処理部７０では、裸眼用画像データ算出部７２において、画像読取部３０で形成された入力画像データに対して所望の処理を行い、裸眼用画像データＤ１を算出する。この裸眼用画像データＤ１は、一般的な画像形成装置１において為される画像処理が行われたデータである。裸眼用画像データ算出部７２で算出された裸眼用画像データＤ１は、ＨＤＤ２０４に保存される。
【００８２】
次に、色補正要否判断に先立ち、画像処理部７０は、制御部２００の制御の下、ＨＤＤ２０４から裸眼用画像データＤ１を取得しておく（ステップＳ２）。
【００８３】
次に、色補正要否判断部７３において、制御部２００の制御の下、眼鏡Ａの光学濃度Ｘが、下限値（ここでは、ＯＤ（Optical Density）が０．３）未満であるか否かを判断する（ステップＳ３）。
【００８４】
ステップＳ３の工程において「ＹＥＳ」と判断された場合、すなわち、眼鏡Ａの光学濃度Ｘが下限値未満であると判断された場合には、色補正要否判断部７３は、裸眼用画像データＤ１を、眼鏡用画像データＤ２としてＨＤＤ２０４に保存する（ステップＳ６）。
【００８５】
一方、ステップＳ３の工程において「ＮＯ」と判断された場合、すなわち、眼鏡Ａの光学濃度Ｘが下限値以上であると判断された場合には、再度、色補正要否判断部７３において、眼鏡Ａの光学濃度Ｘが、上限値（ここでは、ＯＤが０．１５）よりも高いか否かを判断する(ステップＳ４)。
【００８６】
ステップＳ４の工程において「ＹＥＳ」と判断された場合、すなわち、眼鏡Ａの光学濃度Ｘが上限値より高いと判断された場合には、色補正要否判断部７３は、裸眼用画像データＤ１を、眼鏡用画像データＤ２としてＨＤＤ２０４に保存する(ステップＳ６)。
【００８７】
一方、ステップＳ４の工程において「ＮＯ」と判断された場合、すなわち、眼鏡Ａの光学濃度Ｘが上限値以下であると判断された場合には、制御部２００の制御の下、眼鏡用画像データ算出部７４で色補正された眼鏡用画像データＤ２を算出する（ステップＳ５）。ここでは、眼鏡Ａの眼鏡情報に基づいて、Ｙ、Ｍ、Ｃ成分のうち、眼鏡Ａによって減色される分の色成分を元の画像の色成分に加算し、眼鏡用画像データＤ２を算出する。眼鏡用画像データ算出部７４で算出された眼鏡用画像データＤ２は、ＨＤＤ２０４に保存される。
【００８８】
次に、ユーザー３００からの操作指示における眼鏡情報書き込み指示の有無に基づいて、眼鏡情報書き込み要否判断部７５は、眼鏡情報の書き込みが必要か否かを判断する（ステップＳ７）。
【００８９】
ステップＳ７の工程において「ＹＥＳ」と判断された場合、すなわち、ユーザー３００の操作指示により眼鏡情報１００ａの書き込み指示が有った場合には、制御部２００の制御の下、データ統合部７６において、眼鏡情報１００ａと裸眼用画像データＤ１との統合を行う（ステップＳ８）。これにより、データ統合部７６では、眼鏡情報付き裸眼用画像データＤ３が作成される。
【００９０】
そして、制御部２００の制御の下、データ統合部７６において作成された眼鏡情報付き裸眼用画像データＤ３を、ＨＤＤ２０４に保存する（ステップＳ９）。その後、制御部２００の制御の下、画像処理部７０での画像処理を終了する。
【００９１】
一方、ステップＳ７の工程において「ＮＯ」と判断された場合、すなわち、ユーザー３００の操作指示により眼鏡情報１００ａの書き込み指示が無かった場合には、制御部２００の制御の下、画像処理部７０での画像処理を終了する。
【００９２】
画像処理部７０での画像処理が終了した後は、ユーザー３００は、印刷により、用紙Ｓに所望の画像データに基づく画像が形成された印刷物を得ることができる。例えば、図９に示すように、ユーザー３００が色補正された眼鏡Ａ用の印刷物１５０Ａの出力（印刷）を指定した場合は、画像形成装置１は、ＨＤＤ２０４に保存された眼鏡用画像データＤ２を用いて、眼鏡Ａ用の印刷物１５０Ａを出力(印刷)する。
【００９３】
また、ユーザー３００が、眼鏡情報付きの印刷物１５０Ｃの出力（印刷）を指定した場合には、画像形成装置１は、ＨＤＤ２０４に保存された眼鏡情報付き裸眼用画像データＤ３を用いて、眼鏡情報付きの印刷物１５０Ｃを出力（印刷）する。眼鏡情報１００ａをコード化して出力される印刷物に保持させる方法としては、眼鏡情報１００ａを不可視のパターンや、ＱＲコード（登録商標）などの可視パターンにして印刷物に書き込む方法がある。その他、眼鏡情報１００ａの保存先を示すＵＲＬ（Uniform Resource Locator）やＩＤ等を印刷物１５０Ｃに書き込む方法がある。この眼鏡情報付きの印刷物１５０Ｃを用いることで、眼鏡Ａを装着していない場合にも、眼鏡Ａ用の印刷物１５０Ａを得ることができる。眼鏡情報付きの印刷物１５０Ｃを用いた画像処理方法については、後で詳述する。
【００９４】
図１０は、本実施形態の画像形成装置１で出力（印刷）することができる印刷物の他の例（その１）を示す図である。図１０に示すように、本実施形態の画像形成装置１では、ユーザー３００の要望によって、裸眼用の画像と眼鏡Ａ用の画像とが１枚の用紙の別々の領域に印刷された、眼鏡時と裸眼時とのどちらの場合にも用いることができる印刷物１５１を得ることができる。裸眼用の画像と眼鏡Ａ用の画像を１枚の用紙に印刷する指示がユーザー３００から出された場合には、例えば、用紙を２つの領域に区切り、一方の領域に眼鏡用画像データＤ２を用いた画像を転写し、他方の領域に裸眼用画像データＤ１を用いた画像を転写する。これにより、裸眼用の画像と眼鏡Ａ用の画像とが１枚に収められた印刷物１５１を得ることができる。
【００９５】
このような印刷物１５１は、裸眼で見る場合と、眼鏡で見る場合とがある書類に対して好適に用いることができる。
【００９６】
図１１は、本実施形態の画像形成装置１で出力（印刷）することができる眼鏡情報付きの印刷物１５２の他の例（その２）を示す図である。本実施形態では、ＨＤＤ２０４に複数の眼鏡情報１００ａ、１００ｂが保存されており、その複数の眼鏡情報１００ａ、１００ｂを、データ統合部７６において裸眼用画像データＤ１に統合することができる。したがって、ユーザー３００の要望によって、複数の眼鏡情報１００ａ、１００ｂが書き込まれた眼鏡情報付きの印刷物１５２が必要な場合には、データ統合部７６において複数の眼鏡情報１００ａ、１００ｂと裸眼用画像データＤ１とを統合する。これにより、データ統合部７６において、複数の眼鏡情報が書き込まれた眼鏡情報付き裸眼用画像データＤ３を作成することができる。そして、画像形成装置１は、複数の眼鏡情報１００ａ、１００ｂが書き込まれた眼鏡情報付き裸眼用画像データＤ３に基づいて複数の眼鏡情報１００ａ、１００ｂが書き込まれた眼鏡情報付きの印刷物１５２を出力することができる。
【００９７】
上述した画像処理方法では、色補正要否判断部７３において眼鏡Ａの光学濃度に応じて色補正の要否を判断していたが、これに限られるものではない。例えば、判断基準として、眼鏡Ａの光学濃度に加えて原稿に白抜き文字が記載してあるか否かの判断基準を設け、原稿に白抜き文字が記載してある場合には色補正を行わないようにしてもよい。
【００９８】
２．第２の実施形態（眼鏡情報付き印刷物を用いて画像処理を行う例（その１））
次に、本発明の第２の実施形態に係る画像処理方法として、眼鏡Ａの眼鏡情報１００ａが書き込まれた眼鏡情報付きの印刷物１５０Ｃを原稿として用い、眼鏡Ａ用の印刷物１５０Ａを入手する方法について説明する。
【００９９】
図１２は、眼鏡を装着していないユーザー３００が眼鏡Ａ用の印刷物１５０Ａを取得する場合の説明図である。本実施形態では、図１２に示すように、画像読取部３０において眼鏡情報付きの印刷物１５０Ｃを、原稿として読み取る。
【０１００】
画像読取部３０は、眼鏡情報付きの印刷物１５０Ｃに書き込まれたコードやＵＲＬを読み取った場合には、制御部２００の制御の下、その情報を眼鏡情報取得部７１に送信する。眼鏡情報取得部７１は、送信されてきたコードやＵＲＬを用いて眼鏡情報が記憶されたＨＤＤ２０４又は外部装置にアクセスして眼鏡情報を取得する。また、画像読取部３０は、制御部２００の制御の下、読み取った印刷物１５０Ｃから入力画像データを作成すると共に、ＨＤＤ２０４に保存する。
【０１０１】
その後、図７のステップＳ３〜ステップＳ９の処理を行うことにより、眼鏡用画像データＤ２を算出し、眼鏡Ａ用の画像が形成された印刷物１５０Ａを得ることができる。本実施形態では、画像読取部３０において、眼鏡情報付きの印刷物１５０Ｃを原稿として読み取る構成としたが、予めＨＤＤ２０４に眼鏡情報付きの裸眼用画像データを保存しておき、ユーザー３００の操作指示にしたがって、眼鏡用原稿を出力（印刷）する構成としてもよい。
【０１０２】
このように、眼鏡情報付きの印刷物１５０Ｃ、又は、眼鏡情報付き裸眼用画像データＤ３を準備しておくことによって、ユーザー３００が眼鏡Ａを装着していない場合でも、眼鏡Ａ用の画像が形成された印刷物１５０Ａを取得することができる。
【０１０３】
例えば、同一の作業場において、作業用の眼鏡を装着する場合、その作業用の眼鏡の特性は固定であると考えられる。したがって、予め、その作業場で使用する眼鏡が、眼鏡Ａと分かっている場合には、眼鏡Ａの眼鏡情報付きの印刷物１５０Ｃを予め出力しておく。そして、その印刷物１５０Ｃを原稿として眼鏡Ａ用の画像が形成された印刷物１５０Ａを出力（印刷）することで、眼鏡Ａと画像形成装置１との接続が不要となり、眼鏡Ａの通信部１０１を介した眼鏡情報の取得の手間を省くことができる。
【０１０４】
３．第３の実施形態（眼鏡情報付き原稿を用いて画像処理を行う例（その２））
次に、本発明の第３の実施形態に係る画像処理方法として、眼鏡Ｂを装着しているユーザー３００が、眼鏡Ａの眼鏡情報１００ａが書き込まれた印刷物１５０Ｃを原稿として用いて眼鏡Ｂ用の画像が形成された印刷物１５０Ｂを入手する方法について説明する。
【０１０５】
図１３は、眼鏡Ｂを装着したユーザー３００が、眼鏡Ｂとは特性が異なる眼鏡Ａの眼鏡情報１００ａが書き込まれた印刷物１５０Ｃを原稿として眼鏡Ｂ用の印刷物１５０Ｂを出力する場合の説明図である。図１３に示すように、眼鏡情報Ａが書き込まれた眼鏡情報付きの印刷物１５０Ｃを原稿とし、眼鏡Ｂを装着したユーザー３００が眼鏡Ｂ用の画像が形成された印刷物１５０Ｂを取得する場合、まず、画像読取部３０において、眼鏡情報付きの印刷物１５０Ｃを読み取る。眼鏡情報取得部７１は、その読み取られた眼鏡情報付きの印刷物１５０Ｃから眼鏡Ａの眼鏡情報１００ａを取得すると共に、印刷物１５０Ｃに応じた入力画像データを作成する。
【０１０６】
一方、ユーザー３００に装着された眼鏡Ｂの通信部１０１と、画像処理部７０とが接続されることで、眼鏡情報取得部７１は、ユーザー３００に装着された眼鏡Ｂの情報を取得する。その後、図７のステップＳ３〜ステップＳ９の処理を行うことにより、眼鏡Ｂ用画像データを算出すると共に、眼鏡Ｂ用の画像が形成された印刷物１５０Ｂを出力することができる。
【０１０７】
このように、本実施形態では、原稿として、ユーザー３００が装着している眼鏡Ｂとは異なる眼鏡Ａの眼鏡情報１００ａが書き込まれた印刷物１５０Ｃを用いた場合には、装着している眼鏡Ｂの情報に応じて、眼鏡Ｂ用の画像が形成された印刷物１５０Ｂを出力することができる。
【０１０８】
図１３に示す例では、眼鏡用画像データ算出部７４で、眼鏡Ｂ用画像データを算出する例としたが、眼鏡Ａと眼鏡Ｂとの両方の眼鏡情報を統合し、両方の眼鏡の特性に応じた眼鏡用画像データを算出するようにしてもよい。このようにして算出された眼鏡用画像データを用いた場合には、眼鏡Ａを装着した場合でも、眼鏡Ｂを装着した場合でも、裸眼時における画像の色相に近い色相で、出力された画像を認識することができる。
【０１０９】
以上に説明した実施形態では、画像処理部７０を画像形成装置１に備える例について説明したが、上述した画像処理部７０（画像処理装置）は、例えば、ＰＣなどの外部装置に備えられていてもよい。
【０１１０】
また、上述した実施形態では、用紙等の記録媒体に、眼鏡用画像データを出力する場合を例に説明したが、これに限られるものではない。例えば、眼鏡を装着した状態で、ＰＣのディスプレイ（画像表示装置）を見た場合においても、裸眼時と同様の色相で認識できるように、ＰＣのディスプレイに出力される画像データの色補正を行う構成としてもよい。すなわち、補正された画像データをＰＣ等のディスプレイに出力する構成としてもよい。
【０１１１】
ＰＣ等のディスプレイの出力に、本発明の画像処理装置における画像処理方法を適用する場合には、眼鏡の装着によって減少する光に応じて、その他の光の輝度も減少するように画像データを補正する。例えば、ブルーカットレンズの眼鏡を装着する場合には、Ｒ，Ｇ，Ｂの光のうち、ブルー（Ｂ）の光が減る分、レッド（Ｒ）とグリーン（Ｇ）の光も減少させるように画像データを補正することで色相を補正することができる。
【０１１２】
すなわち、画像形成装置１においては、眼鏡用画像データ算出部７４では、眼鏡情報に基づいて、Ｙ、Ｍ、Ｃのうち、眼鏡によって減色される分の色成分を元の画像の色成分に加算し、眼鏡用画像データＤ２を算出していた。これに対し、ＰＣ等のディスプレイに表示する画像データを補正する場合には、眼鏡用画像データ算出部において、眼鏡情報に基づいて、Ｒ、Ｇ、Ｂのうち眼鏡によって低下する分の光の輝度に合わせて、低下しない光の輝度も減算することで、眼鏡用画像データを算出する。そして、このようにして得た眼鏡用画像データをディスプレイに出力することにより、眼鏡を装着した場合にも、裸眼で見る画像と同様の色相で認識することのできる画像を得ることができる。
【０１１３】
また、画像形成装置１では、眼鏡の光学濃度が所定値よりも高い場合には色補正をしない構成としたが、ＰＣ等のディスプレイに係る画像データを補正する場合には、全体の輝度を上げることで対応することができる。したがって、ＰＣ等のディスプレイに係る画像データを補正する場合には、眼鏡の光学濃度が所定値より高い場合でも眼鏡用画像データ算出部における色補正は有効である。一方、眼鏡の光学濃度が所定値よりも低い場合には、画像形成装置の場合と同様、人間の目の色順応機能を利用し、ディスプレイの表示に係る画像データの補正を行わない。
【０１１４】
このように、本発明の画像処理装置を用いることで、ＰＣ等のディスプレイに表示される画像も、装着する眼鏡に応じて色補正することができる。例えば、オフィスにおいて、紫外線抑制のために色がついた眼鏡を装着してＰＣのディスプレイを見る場合、ユーザーが眼鏡を通して見る画像が裸眼で見る画像とは異なった色で見えるという不具合がある。このため、ディスプレイを見て色校正を行う作業がある場合、眼鏡を外す必要がある。そして、眼鏡を装着したり外したりという煩わしさから、眼鏡の装着がなされなくなると、眼鏡による目の保護ができなくなるという問題があった。
【０１１５】
これに対し、本発明では、眼鏡の装着に応じて、裸眼時に近い色で画像を認識できるように色補正された画像をディスプレイに出力することができるので、眼鏡をしたまま作業をすることができる。
【０１１６】
なお、上述の実施形態では、眼鏡として、耳に掛けて装着するタイプの眼鏡を図示して示したが、これに限られるものではない。例えば、ヘルメット型の眼鏡や、手で持つタイプの眼鏡等、目に対して光の透過特性を変化させるレンズを用いる場合に適用することができる。
【０１１７】
上述した実施形態は、本発明を分かりやすく説明するために詳細に説明したものであり、必ずしも説明した全ての構成を備えるものに限定されるものではない。例えば、ある実施形態の構成の一部を他の実施形態の構成に置き換えることが可能であり、また、ある実施形態の構成について他の実施形態の構成を加えることも可能である。また、各実施形態の構成の一部について、他の構成の追加・削除・置換をすることが可能である。
【符号の説明】
【０１１８】
１・・・画像形成装置、１０・・・原稿搬送部、１１・・・原稿給紙台、２０・・・用紙収納部、  ３０・・・画像読取部、４０・・・画像形成部、４１・・・感光体、７０・・・画像処理部、７１・・・眼鏡情報取得部、７２・・・裸眼用画像データ算出部、７３・・・色補正要否判断部、７４・・・眼鏡用画像データ算出部、７５・・・眼鏡情報書き込み要否判断部、７６・・・データ統合部、８０・・・定着部、１００・・・眼鏡、１００ａ・・・眼鏡情報、１０１・・・通信部、１０２・・・眼鏡情報記憶部、１０７・・・システムバス、１２０・・・ＰＣ、１５０・・・原稿、２００・・・制御部、２０１・・・ＣＰＵ、２０２・・・ＲＯＭ、２０３・・・ＲＡＭ、２０４・・・ＨＤＤ、２０５・・・操作表示部、３００・・・ユーザー
【図１】
2019062328.tif 000003
【図２】
2019062328.tif 000004
【図３】
2019062328.tif 000005
【図４】
2019062328.tif 000006
【図５】
2019062328.tif 000007
【図６】
2019062328.tif 000008
【図７】
2019062328.tif 000009
【図８】
2019062328.tif 000010
【図９】
2019062328.tif 000011
【図１０】
2019062328.tif 000012
【図１１】
2019062328.tif 000013
【図１２】
2019062328.tif 000014
【図１３】
2019062328.tif 000015